(57)【要約】【課題】  生石灰などの吸湿性固形物の大量輸送に有利に使用することができるコンテナを提供する。【解決手段】  幅方向の長さが２〜４ｍで、前後方向の長さが幅方向の長さの２倍以上にあり、そして高さが２〜４ｍである、前後に長い直方体型の車両もしくは船舶搭載用のコンテナの上面に、コンテナの前後方向の長さの１／４以上、かつ３／４以下の間隔を介して前後に配置された二以上の吸湿性固形物投入口を備え、そして前面もしくは後面に吸湿性固形物排出口を備えてなる吸湿性固形物運搬用コンテナ。【選択図】        図１
2005104563.tif 000002
【特許請求の範囲】
【請求項１】
幅方向の長さが２〜４ｍで、前後方向の長さが幅方向の長さの２倍以上にあり、そして高さが２〜４ｍである、前後に長い直方体型の車両もしくは船舶搭載用のコンテナの上面に、コンテナの前後方向の長さの１／４以上、かつ３／４以下の間隔を介して前後に配置された二以上の吸湿性固形物投入口を備え、そして前面もしくは後面に吸湿性固形物排出口を備えてなる吸湿性固形物運搬用コンテナ。
【請求項２】
吸湿性固形物投入口が前側投入口と後側投入口の二個からなり、前側投入口は、前面から見て、コンテナの前後方向の長さの１／６以上の位置にあり、後側投入口は、後面から見て、コンテナの前後方向の長さの１／６以上の位置にある請求項１に記載の吸湿性固形物運搬用コンテナ。
【請求項３】
吸湿性固形物排出口が、コンテナの前面もしくは後面の下側部分が外側上方に開くように設けられている請求項１もしくは２に記載の吸湿性固形物運搬用コンテナ。
【請求項４】
少なくともコンテナの底面と両側面の材料が波形鋼板であって、該底面と両側面の内側に、内側が平滑面の板材が内張りされている請求項１乃至３のうちのいずれかの項に記載の吸湿性固形物運搬用コンテナ。
【請求項５】
生石灰を請求項１乃至４のうちのいずれかの項に記載の吸湿性固形物運搬用コンテナに収容して輸送する生石灰輸送方法。
【発明の詳細な説明】
【技術分野】
【０００１】
本発明は、生石灰などの吸湿性固形物の輸送に有利に使用することができる吸湿性固形物運搬用コンテナに関する。本発明はまた、上記のコンテナを用いた生石灰の輸送方法にも関する。
【背景技術】
【０００２】
従来より、生石灰やマグネシアなどの水分と反応し易い吸湿性固形物の輸送には、吸湿固形物運搬用車両が利用されている。
例えば、生石灰の輸送には、上面に生石灰投入口を備え、後面に石灰排出口を備えた、幅方向の長さが約２．４ｍ、前後方向の長さが約６．５ｍ、そして高さが約１．１１ｍの前後方向に長い直方体型の生石灰収容タンクが搭載された生石灰運搬用トラックが利用されている。この生石灰運搬用トラックでは、タンク内に収容できる生石灰量を多くするために、生石灰投入口をタンク上面の全体がその長さ方向の中心から左右両側部に観音開きするように設けられていることが多い。
【０００３】
また、特許文献１には、セメント、小麦粉、化成品、その他の粉粒体を輸送するための粉粒体運搬車として、上面に粉粒体投入口（マンホール）を一個備えたタンクが搭載された車が示されている。
【特許文献１】特開２００２−２２５９７５号公報
【発明の開示】
【発明が解決しようとする課題】
【０００４】
従来より利用されている生石灰運搬用トラックは、生石灰の積載量が１０〜１５トンであり、製鉄工場のような大量の生石灰を使用する工場への生石灰の輸送には、複数台のトラックが必要となるため、輸送コストが高くなるという問題があった。
生石灰の輸送コストを低減するために、生石灰をコンテナに収容し、車両や船舶を用いて輸送することは有効である。しかしながら、これまで生石灰のような吸湿性固形物を大容量のコンテナを利用して輸送する試みはなされていなかった。
【０００５】
従って、本発明の目的は、車両や船舶を利用した吸湿性固形物の大量輸送に有利に使用することができるコンテナを提供することにある。本発明の目的はまた、上記のコンテナを利用した生石灰の輸送方法を提供することにある。
【課題を解決するための手段】
【０００６】
本発明は、幅方向の長さが２〜４ｍで、前後方向の長さが幅方向の長さの２倍以上にあり、そして高さが２〜４ｍである、前後に長い直方体型の車両もしくは船舶搭載用のコンテナの上面に、コンテナの前後方向の長さの１／４以上、かつ３／４以下の間隔を介して前後に配置された二以上の吸湿性固形物投入口を備え、そして前面もしくは後面に吸湿性固形物排出口を備えてなる吸湿性固形物運搬用コンテナにある。
【０００７】
本発明の吸湿性固形物運搬用コンテナの好ましい態様を以下に示す。
（１）吸湿性固形物投入口が前側投入口と後側投入口の二個からなり、前側投入口は、前面から見て、コンテナの前後方向の長さの１／６以上の位置にあり、後側投入口は、後面から見て、コンテナの前後方向の長さの１／６以上の位置にある。
（２）吸湿性固形物排出口が、コンテナの前面もしくは後面の下側部分が外側上方に開くように設けられている。
（３）少なくともコンテナの底面と両側面の材料が波形鋼板であって、該底面と両側面の内側に、内側が平滑面の板材が内張りされている。
【０００８】
本発明はまた、生石灰を上記の吸湿性固形物運搬用コンテナに収容して輸送する生石灰輸送方法にもある。
【発明の効果】
【０００９】
本発明のコンテナは、幅方向の長さが２〜４ｍで、前後方向の長さが幅方向の長さの２倍以上にあり、そして高さが２〜４ｍと、従来の生石灰粉末運搬用トラックの生石灰収容タンクよりもサイズが大きい。また、本発明のコンテナでは、二個以上の吸湿性固形物投入口がコンテナの前後方向の長さの１／４以上、かつ３／４以下の間隔を介して前後に配置されているので、各々の吸湿性固形物投入口から投入された吸湿性固形物が、コンテナ内部で山と山とが連なった形で堆積する。このため、本発明のコンテナは、吸湿性固形物投入口が一個の場合と比べて、コンテナ内部のデッドスペースが小さくなるので、吸湿性固形物の収容効率が高くなる。さらに、本発明のコンテナでは、従来の生石灰運搬用トラックの生石灰投入口と比べて、吸湿性固形物投入口の開口面積を小さくすることができるので、コンテナ内部に水分が侵入しにくい。従って、本発明のコンテナは、車両や船舶を利用した吸湿性固形物の大量輸送に有利に使用することができる。
また、生石灰を上記の吸湿性固形物運搬用コンテナに収容して輸送する本発明の生石灰輸送方法によれば、大量の生石灰を安価に輸送することができる。
【発明を実施するための最良の形態】
【００１０】
本発明の吸湿性固形物運搬用コンテナについて、添付図面の図１〜図４を参照しながら説明する。
図１は、本発明に従う吸湿性固形物運搬用コンテナの一例の斜視図である。
【００１１】
本発明の吸湿性固形物運搬用コンテナは、幅方向の長さが２〜４ｍで、前後方向の長さが幅方向の長さの２倍以上にあり、そして高さが２〜４ｍである、前後に長い直方体型の車両もしくは船舶搭載用のコンテナである。
コンテナの外側サイズは、船舶用コンテナの国際標準規格のサイズとすることが好ましい。具体的には、幅方向の長さを２．４３８ｍ、前後方向の長さを６．０５８ｍ、そして高さを２．４００ｍとすることが好ましい。コンテナのサイズを、船舶用コンテナの国際標準規格のサイズとすることによって、通常のコンテナ船や台船による輸送ができ、通常の港に設置されているストラドルキャリアーやガントリークレーンなどのコンテナ搬送装置を利用することが可能となる。
【００１２】
図１において、コンテナ上面１０には、コンテナの前後方向の長さの１／４以上、かつ３／４以下（好ましくは、１／３以上、かつ２／３以下)の間隔を介して前後に配置された前側投入口１１ａと後側投入口１１ｂとの二個の吸湿性固形物投入口を備えている。前側投入口１１ａと後側投入口１１ｂは、それぞれ前側投入口用蓋１２ａ及び後側投入口用蓋１２ｂによって開閉可能となっている。
【００１３】
図２は、図１のコンテナの投入口の設置位置を示す平面図である。
図２では、前側投入口１１ａと後側投入口１１ｂは、それぞれ前側投入口用蓋１２ａ及び後側投入口用蓋１２ｂにて閉じた状態となっている。
前側投入口１１ａ及び後側投入口１１ｂは、コンテナ上面１０の長さ方向の中心線上にあることが好ましい。前側投入口１１ａは、コンテナ前面２０ａから見て、コンテナの前後方向の長さの１／６以上の位置にあることが好ましく、前後方向の長さの1／６以上、３／６以下の位置にあることがより好ましい。後側投入口１１ｂは、コンテナ後面２０ｂから見て、コンテナの前後方向の長さの１／６以上の位置にあることが好ましく、前後方向の長さの1／６以上、３／６以下の位置にあることがより好ましい。
【００１４】
吸湿性固形物投入口（前側投入口１１ａ、後側投入口１１ｂ）の開口面積は、０．１〜０．５ｍ2の範囲にあることがより好ましい。吸湿性固形物投入口とその蓋との間にはパッキング材を介在させることが好ましい。パッキング材の材料には、エチレン・プロピレンゴム（ＥＰＭ）及びエチレン・プロピレン・ジエンゴム（ＥＰＤＭ）などのゴム材料を用いることができる。
【００１５】
図１のコンテナでは、コンテナ前面２０ａの下側部分に吸湿性固形物排出口２１を備えている。吸湿性固形物排出口２１は、外側上方に開くように設けられた排出口用扉２２によって開閉可能となっている。
【００１６】
図３は、図１のコンテナの排出口が閉じた状態を示すコンテナ前面の正面図である。
排出口用扉２２は、コンテナ前面２０ａの上部の補強柱２３の下端に設けられたヒンジ２４を支点にして上方に開くようにされている。排出口用扉２２には、コンテナの幅方向に延びる扉補強梁２５ａ、２５ｂ、２５ｃとコンテナの高さ方向に延びる扉補強柱２６とが設けられている。
排出口用扉２２は、下方の扉補強梁２５ｃに設けられた爪２７と、コンテナ前面２０ａの下部に設けられた爪止め２８とからなる第一ロック部、及び中央の扉補強梁２５ｂと下方の扉補強梁２５ｃにそれぞれ設けられた、上下に開口した軸支持部材２９、軸支持部材２９に支持された、回転レバー３０を備えた軸３１、排出口用扉２２の下方の端部に設けられた、回転レバー３０を受けるレバー受け３２、そしてコンテナ前面２０ａの下部に設けられた、軸３１を受ける軸受け３３からなる第二ロック部によって固定されている。第一ロック部は、爪止め２８が上方に移動可能となっており、爪止め２８を移動させることによって爪２７を外せるようになっている。第二ロック部は、レバー受け３２から回転レバー３０を外し、軸３１を上方に移動させることによって、軸受け３３から軸３１を外せるようになっている。第一ロック部と第二ロック部とによって、コンテナ前面２０ａに排出口用扉２１を固定することによって、コンテナ内部に水分が侵入しにくくなる。
【００１７】
吸湿性固形物排出口２１の開口面積は、１〜５ｍ2の範囲にあることがより好ましい。  吸湿性固形物排出口２１と排出口用扉２２との間には、パッキング材（図４の３４）を介在させることが好ましい。パッキング材の材料には、エチレン・プロピレンゴム（ＥＰＭ）及びエチレン・プロピレン・ジエンゴム（ＥＰＤＭ）などのゴム材料を用いることができる。
【００１８】
図１に示すように、コンテナ上面１０、コンテナ側面４０及びコンテナ底面（図示せず）が、それぞれ波形鋼板によって形成されている場合は、コンテナ側面及びコンテナ底面の内側には、内側が平滑面の板材が内張りされていることが好ましい。
【００１９】
図４は、図１のコンテナの側面の部分断面図である。
図４に示すように、コンテナ側面４０及び底面に、内側が平滑面の板材４１を内張りすることによって、コンテナの強度が高くなるとともに、コンテナからの吸湿性固形物の排出が容易になる。板材４１の材料には、鋼板を用いることができる。
【００２０】
本発明のコンテナは、生石灰及びマグネシアなどの空気中の水分と反応する吸湿性固形物の輸送に好適に用いることができる。吸湿性固形物は、粉末状、粒状あるいは塊状であってもよい。本発明のコンテナは、粒径が５〜６０ｍｍ（特に、５〜４０ｍｍ）の塊状の生石灰の輸送に好適に用いることができる。
【００２１】
本発明のコンテナに吸湿性固形物を収容する際は、吸湿性固形物を各吸湿性固形物投入口から同時に投入してもよいし、各時間を変えて投入してもよい。吸湿性固形物を収容したコンテナの輸送には、貨物列車やトレーラなどの車両あるいはコンテナ船や台船などの船舶を用いるこことができる。
【実施例】
【００２２】
幅方向の長さが２．４３８ｍ（内側サイズ：２．３５２ｍ）、前後方向の長さが６．０５８ｍ（内側サイズ：５．８２７ｍ）、高さが２．４００ｍ（内側サイズ：２．１５５ｍ）の直方体型のコンテナの上面１０に、２．５２０ｍの間隔を開けて前側投入口１１ａと後側投入口１１ｂとを備え、前面２０ａに幅が２．３４０ｍ、高さが１．４００ｍの排出口２１を備えた、図１〜図４に示すコンテナを作成した。なお、前側投入口１１ａ及び後側投入口１１ｂは、直径５０ｃｍの円形状に形成し、前側投入口１１ａは、コンテナ前面２０ａから１．７４８ｍの位置、後側投入口１１ｂは、コンテナ後面２０ｂから１．７９０ｍの位置に設けた。
【００２３】
上記のコンテナの前側投入口１１ａ及び後側投入口１１ｂから同時に、粒径５〜４０ｍｍの塊状の生石灰を投入したところ、約２１トンの生石灰を収容することができた（理論収容量の約８０％）。
【図面の簡単な説明】
【００２４】
【図１】本発明に従う吸湿性固形物運搬用コンテナの一例の斜視図である。
【図２】図１のコンテナの投入口の設置位置を示す平面図である。
【図３】図１のコンテナの排出口が閉じた状態を示す正面図である。
【図４】図１のコンテナ側面の部分断面図である。
【符号の説明】
【００２５】
１０  コンテナ上面
１１ａ  前側投入口
１１ｂ  後側投入口
１２ａ  前側投入口用蓋
１２ｂ  後側投入口用蓋
２０ａ  コンテナ前面
２０ｂ  コンテナ後面
２１  吸湿性固形物排出口
２２  排出口用扉
２３  前面補強柱
２４  ヒンジ
２５  扉補強柱
２６ａ、２６ｂ、２６ｃ  扉補強梁
２７  爪
２８  爪止め
２９  軸支持部材
３０  回転レバー
３１  軸
３２  レバー受け
３３  軸受け
３４  パッキング材
４０  コンテナ側面
４１  板材
【図１】
2005104563.tif 000003
【図２】
2005104563.tif 000004
【図３】
2005104563.tif 000005
【図４】
2005104563.tif 000006